(57)【要約】【課題】  ゴミの分離収集が効率良く行われるのみならず、微細ゴミの逆流が防止できる真空掃除機用サイクロン集塵装置を提供する。【解決手段】  開示された本発明は、吸気口及び排気口を備え、前記吸気口から吸い込まれるゴミを含む吸込み空気に対して旋回気流を形成するサイクロン本体と；前記サイクロン本体内の旋回気流により空気から遠心分離されるゴミを収集すべく前記サイクロン本体に分離自在に取り付けられるゴミ収集筒と；前記サイクロン本体内部の前記排気口の前流に配設され、空気から分離された前記ゴミが前記排気口から逆流することを防止し、外部グリル及び内部グリルの二重構造を有する二重インペラグリル組立体と；前記サイクロン本体内部の前記二重インペラグリル組立体の後流に配設され、前記二重インペラグリル組立体によっても分離されない微細ゴミをフィルタリングし捕集する微細ゴミ捕集手段とを含んでなる。【選択図】      図３
2004321777.tif 000002
【特許請求の範囲】
【請求項１】
吸気口及び排気口を備え、前記吸気口から吸い込まれるゴミを含む吸込み空気に対して旋回気流を形成するサイクロン本体と；
前記サイクロン本体内の旋回気流により空気から遠心分離されるゴミを収集すべく前記サイクロン本体に分離自在に取り付けられるゴミ収集筒と；
前記サイクロン本体内部の前記排気口の前流に配設され、空気から分離された前記ゴミが前記排気口から逆流することを防止し、外部グリル及び内部グリルの二重構造を有する二重インペラグリル組立体と；
前記サイクロン本体内部の前記二重インペラグリル組立体の後流に配設され、前記二重インペラグリル組立体によっても分離されない微細ゴミをフィルタリングし捕集する微細ゴミ捕集手段とを含むことを特徴とする真空掃除機用サイクロン集塵装置。
【請求項２】
前記サイクロン本体が、
外周面には前記吸気口が形成され上面には連通ホールが形成された旋回気流チャンバ部材と；前記旋回気流チャンバ部材と前記連通ホールにより連通するように旋回気流チャンバ部材に取り付けられ、外周面の一側には前記排気口が形成された圧力降下チャンバ部材とを含み、
前記二重インペラグリル組立体が前記旋回気流チャンバ部材に設けられ、前記微細ゴミ捕集手段が前記圧力降下チャンバ部材に設けられたことを特徴とする請求項１に記載の真空掃除機用サイクロン集塵装置。
【請求項３】
前記圧力降下チャンバ部材が、
前記二重インペラグリル組立体を通り抜けた微細ゴミを含む空気が前記微細ゴミ捕集手段を上方から下方に通り抜けた後に前記排気口から排気されるように導く排気ガイド流路を形成するために、前記圧力降下チャンバ部材の内部空間を前記連通ホールと連通する両側の第１の空間と前記排気口と連通する中央の第２の空間とに画成すべく形成された流路形成部材を含むことを特徴とする請求項２に記載の真空掃除機用サイクロン集塵装置。
【請求項４】
前記微細ゴミ捕集手段が、
前記流路形成部材の上部側に形成され、前記排気ガイド流路と前記排気口とを連通するための多数の上下部通孔及び前面開口を有するフィルタ取付け部と；
前記フィルタ取付け部に引き出し式で着脱自在に取り付けられるフィルタ組立体とを含むことを特徴とする請求項３に記載の真空掃除機用サイクロン集塵装置。
【請求項５】
前記フィルタ組立体が、
前記フィルタ取付け部の大きさ及び構造に対応するプロファイルを有するフィルタケース体と；
前記フィルタケース体に収められた微細フィルタとを含むことを特徴とする請求項４に記載の真空掃除機用サイクロン集塵装置。
【請求項６】
前記微細フィルタがスポンジであることを特徴とする請求項５に記載の真空掃除機用サイクロン集塵装置。
【請求項７】
前記フィルタケース体の前記前面開口の縁部と当接する部位にはシールのためのパッキング部材が設けられたことを特徴とする請求項４に記載の真空掃除機用サイクロン集塵装置。
【請求項８】
前記フィルタケース体の前面にはその取り扱いのための取っ手が形成されたことを特徴とする請求項４に記載の真空掃除機用サイクロン集塵装置。
【請求項９】
前記外部グリル及び内部グリルが、それぞれ円筒状グリルボディ及び前記グリルボディの外周面に前記連通ホールと連通するように形成された多数の流路を有してなり、前記内部グリルの下端部にはゴミ遮蔽部材が設けられたことを特徴とする請求項２に記載の真空掃除機用サイクロン集塵装置。
【請求項１０】
前記流路が、前記グリルボディの外周面に一定間隔をおいて所定角度で傾斜して配された多数の流路部材により形成されたことを特徴とする請求項９に記載の真空掃除機用サイクロン集塵装置。
【請求項１１】
前記ゴミ遮蔽部材が、前記グリルボディの下端の円周から所定角度で下に向けて拡径する円錐部及びこの円錐部から直下方に所定長さで延びる円筒部を備えることを特徴とする請求項９に記載の真空掃除機用サイクロン集塵装置。
【請求項１２】
前記ゴミ遮蔽部材が、前記グリルボディと一体に形成されたことを特徴とする請求項１１に記載の真空掃除機用サイクロン集塵装置。
【請求項１３】
前記ゴミ収集筒が、
前記サイクロン本体と同径を有する外筒及び前記外部グリルと同径を有する内筒の二重構造を有することにより内部が第１のゴミ収集部及び第２のゴミ収集部とに画成され、前記内筒の下部には前記第１のゴミ収集部のゴミを前記第２のゴミ収集部に排出するための少なくとも一つのゴミ排出路が形成されたことを特徴とする請求項１に記載の真空掃除機用サイクロン集塵装置。
【請求項１４】
向かい合わせて形成された一対の前記ゴミ排出路を備えることを特徴とする請求項１３に記載の真空掃除機用サイクロン集塵装置。
【請求項１５】
被掃除面に対し開放されたノズル及び前記ノズルに吸込み力を発生させるモーターが装着されるモーター駆動室を有する吸込みブラシと；
前記吸込みブラシに回転自在に連結され、前記モーター駆動室に連結される吸気路及び排気路と集塵室を有する掃除機本体と；
前記掃除機本体の集塵室に分離自在に装着され、前記吸込みブラシのノズルから吸い込まれる空気中に含まれたゴミを分離し収集するサイクロン集塵装置とを含み、
前記サイクロン集塵装置が、
前記吸気路及び排気路にそれぞれ連結される吸気口及び排気口を備え、前記吸気口から吸い込まれるゴミを含む吸込み空気に対して旋回気流を形成するサイクロン本体と；
前記サイクロン本体内の旋回気流により空気から遠心分離されるゴミを収集すべく前記サイクロン本体に分離自在に取り付けられるゴミ収集筒と；
前記サイクロン本体内部の前記排気口の前流に配設され、空気から分離された前記ゴミが前記排気口から逆流することを防止し、外部グリル及び内部グリルの二重構造を有する二重インペラグリル組立体と；
前記サイクロン本体内部の前記二重インペラグリル組立体の後流に配設され、前記二重インペラグリル組立体によっても分離されない微細ゴミをフィルタリングし捕集する微細ゴミ捕集手段とを含んでなることを特徴とする真空掃除機。
【請求項１６】
前記サイクロン本体が、
外周面には前記吸気口が形成され上面には連通ホールが形成された旋回気流チャンバ部材と；前記旋回気流チャンバ部材と前記連通ホールにより連通するように旋回気流チャンバ部材に取り付けられ、外周面の一側には前記排気口が形成された圧力降下チャンバ部材とを含み、
前記二重インペラグリル組立体が前記旋回気流チャンバ部材に設けられ、前記微細ゴミ捕集手段が前記圧力降下チャンバ部材に設けられたことを特徴とする請求項１５に記載の真空掃除機。
【請求項１７】
前記圧力降下チャンバ部材が、
前記二重インペラグリル組立体を通り抜けた微細ゴミを含む空気が前記微細ゴミ捕集手段を上方から下方に通り抜けた後に前記排気口から排気されるように導く排気ガイド流路を形成するために、前記圧力降下チャンバ部材の内部空間を前記連通ホールと連通する両側の第１の空間と前記排気口と連通する中央の第２の空間とに画成すべく形成された流路形成部材を含むことを特徴とする請求項１６に記載の真空掃除機。
【請求項１８】
前記微細ゴミ捕集手段が、
前記流路形成部材の上部側に形成され、前記排気ガイド流路と前記排気口とを連通するための多数の上下部通孔及び前面開口を有するフィルタ取付け部と；
前記フィルタ取付け部に引き出し式で着脱自在に取り付けられるフィルタ組立体とを含むことを特徴とする請求項１７に記載の真空掃除機。
【請求項１９】
前記フィルタ組立体が、
前記フィルタ取付け部の大きさ及び構造に対応するプロファイルを有するフィルタケース体と；
前記フィルタケース体に収められた微細フィルタとを含むことを特徴とする請求項１８に記載の真空掃除機。
【請求項２０】
前記微細フィルタがスポンジであることを特徴とする請求項１９に記載の真空掃除機。
【請求項２１】
前記フィルタケース体の前記前面開口の縁部と当接する部位にはシールのためのパッキング部材が設けられたことを特徴とする請求項１９に記載の真空掃除機。
【請求項２２】
前記フィルタケース体の前面にはその取り扱いのための取っ手が形成されたことを特徴とする請求項１９に記載の真空掃除機。
【請求項２３】
前記外部グリル及び内部グリルが、それぞれ円筒状グリルボディ及び前記グリルボディの外周面に前記連通ホールと連通するように形成された多数の流路を有してなり、前記内部グリルの下端部にはゴミ遮蔽部材が設けられたことを特徴とする請求項１７に記載の真空掃除機。
【請求項２４】
前記流路が、前記グリルボディの外周面に一定間隔をおいて所定角度で傾斜して配された多数の流路部材により形成されたことを特徴とする請求項２３に記載の真空掃除機。
【請求項２５】
前記ゴミ遮蔽部材が、前記グリルボディの下端の円周から所定角度で下に向けて拡径する円錐部及びこの円錐部から直下方に所定長さで延びる円筒部を備えることを特徴とする請求項２３に記載の真空掃除機。
【請求項２６】
前記ゴミ遮蔽部材が、前記グリルボディと一体に形成されたことを特徴とする請求項２５に記載の真空掃除機。
【請求項２７】
前記ゴミ収集筒が、
前記サイクロン本体と同径を有する外筒及び前記外部グリルと同径を有する内筒の二重構造を有することにより内部が第１のゴミ収集部及び第２のゴミ収集部とに画成され、前記内筒の下部には前記第１のゴミ収集部のゴミを前記第２のゴミ収集部に排出するための少なくとも一つのゴミ排出路が形成されたことを特徴とする請求項１５に記載の真空掃除機。
【請求項２８】
向かい合わせて形成された一対の前記ゴミ排出路を備えることを特徴とする請求項２７に記載の真空掃除機。
【発明の詳細な説明】
【技術分野】
【０００１】
本発明は、集塵装置に関し、より詳しくは、埃及び各種の異物（以下、“ゴミ”と称す）を含む吸込み空気が旋回気流を形成するようにすることで遠心力により旋回気流からゴミを分離し収集する真空掃除機用サイクロン集塵装置に関する。
【背景技術】
【０００２】
真空掃除機用サイクロン集塵装置の典型的な一例が図１及び図２に概略的に示されているところ、それを簡単に説明すると次の通りである。
【０００３】
図１及び図２に示すように、一般の真空掃除機用サイクロン集塵装置１００は、サイクロン本体１０、ゴミ収集筒２０及びグリル３０を備える。
【０００４】
サイクロン本体１０は、吸気口１１と排気口１２を備える。吸気口１１は、サイクロン本体１０の側面の一側に接線方向に形成され、排気口１２は、サイクロン本体１０の上面の中央に形成される。ここで、吸気口１１は、サイクロン集塵装置１００を掃除機本体２００の集塵室２３０に装着する時、集塵室２３０に端部が露出するように掃除機本体２００に設けられた吸気路２１０に連結され、排気口１２は、掃除機本体２００の排気路２２０に連結される。従って、吸込みブラシ３００から吸い込まれるゴミを含む空気は、掃除機本体２００の吸気路２１０及び吸気口１１からサイクロン本体１０内に接線方向に吸い込まれる。これにより、サイクロン本体１０には旋回気流が形成され、この旋回気流に含まれたゴミは遠心力により分離され、浄化された空気は、排気口１２、掃除機本体２００の排気路２２０、及びモーター駆動室３１０を経由して外部に排出される。
【０００５】
ゴミ収集筒２０は、サイクロン本体１０の下部に着脱自在に取り付けられ、旋回気流により空気から遠心分離されるゴミを収集する。
【０００６】
グリル３０は、サイクロン本体１０内部の排気口１２の前流に配設され、旋回気流から分離されたゴミが排気口１２から逆流することを防止する。このようなグリル３０は、グリルボディ３１及びこのグリルボディ３１の外周面に排気口１２と連通するように形成された多数の流路３２を備える。また、グリル３０は、グリルボディ３１の下部に設けられたゴミ遮蔽部材３３を備える。
【０００７】
このように構成された一般のサイクロン集塵装置は、サイクロン本体１０の吸気口１１及び排気口１２がそれぞれ掃除機本体２００の吸気路２１０及び排気路２２０に連結されるように掃除機本体２００の集塵室２３０に装着される。
【０００８】
掃除が開始されると、モーター駆動室３１０のモーターの駆動に伴い吸込みブラシ３００に吸込み力が発生し、この吸込み力により被掃除面のゴミを含む空気が吸込みブラシ３００、吸気路２１０及び吸気口１１を経由してサイクロン本体１０内に吸い込まれる。この時、吸い込まれる空気は、吸気口１１によりサイクロン本体１０の内周に沿って斜線方向に導かれ旋回気流を形成するようになり、これにより空気中に含まれたゴミは遠心力により分離されゴミ収集筒２０に集められる。そして、浄化された空気は、グリル３０の流路３２、排気口１２、排気路２２０、及びモーター駆動室３１０を経由して外部に排出される。
【０００９】
前記のような真空掃除機用サイクロン集塵装置で、旋回気流から分離されるゴミの収集及び逆流の防止は、集塵効率に大きな影響を与える因子であって、ゴミの収集及び逆流の防止を効率よく行うべく種々の試み及び工夫が絶えずに進められてきているが、従来のサイクロン集塵装置は、構造上の限界に至っている実情である。
【００１０】
因みに、従来のサイクロン集塵装置は、ゴミ収集筒２０に集められたゴミがゴミ収集筒２０の底部で跳ね返り、上昇する気流に乗って上昇することが避けられない構造となっているため、ゴミの収集が非効率的に行われるのみならず、前記のように上昇するゴミのうち、特にグリル３０の流路３２の大きさより小さい微細ゴミがグリル３０の流路３２を通り抜けて空気と共に外部に排出されるという微細ゴミ逆流現象が発生することにより、集塵効率が低下するという不具合がある。
【発明の開示】
【発明が解決しようとする課題】
【００１１】
本発明は、従来の真空掃除機用サイクロン集塵装置に関する上記問題点に鑑みてなされたものであり、本発明の目的は、ゴミ収集筒に集められたゴミの上昇を抑えると共にグリルの流路を通り抜けて排出される空気中に含まれた微細ゴミをフィルタリングし捕集することにより、微細ゴミの逆流現象を軽減し、集塵効率を向上することができる真空掃除機用サイクロン集塵装置を提供することである。
【００１２】
本発明の他の目的は、前記のような特徴を有するサイクロン集塵装置を備える真空掃除機を提供することである。
【課題を解決するための手段】
【００１３】
前記目的を達成するための本発明に係る真空掃除機用サイクロン集塵装置は、吸気口及び排気口を備え、前記吸気口から吸い込まれるゴミを含む吸込み空気に対して旋回気流を形成するサイクロン本体と；前記サイクロン本体内の旋回気流により空気から遠心分離されるゴミを収集すべく前記サイクロン本体に分離自在に取り付けられるゴミ収集筒と；前記サイクロン本体内部の前記排気口の前流に配設され、空気から分離された前記ゴミが前記排気口から逆流することを防止し、外部グリル及び内部グリルの二重構造を有する二重インペラグリル組立体と；前記サイクロン本体内部の前記二重インペラグリル組立体の後流に配設され、前記二重インペラグリル組立体によっても分離されない微細ゴミをフィルタリングし捕集する微細ゴミ捕集手段とを含む。
【００１４】
前記サイクロン本体は、外周面には前記吸気口が形成され上面には連通ホールが形成された旋回気流チャンバ部材と；前記旋回気流チャンバ部材と前記連通ホールにより連通するように旋回気流チャンバ部材に取り付けられ、外周面の一側には前記排気口が形成された圧力降下チャンバ部材とを含み、前記二重インペラグリル組立体が前記旋回気流チャンバ部材に設けられ、前記微細ゴミ捕集手段が前記圧力降下チャンバ部材に設けられる。
【００１５】
また、前記圧力降下チャンバ部材は、前記二重インペラグリル組立体を通り抜けた微細ゴミを含む空気が前記微細ゴミ捕集手段を上方から下方に通り抜けた後に前記排気口から排気されるように導く排気ガイド流路を形成するために、前記圧力降下チャンバ部材の内部空間を前記連通ホールと連通する両側の第１の空間と前記排気口と連通する中央の第２の空間とに画成すべく形成された流路形成部材を含む。
【００１６】
前記微細ゴミ捕集手段は、前記流路形成部材の上部側に形成され、前記排気ガイド流路と前記排気口とを連通するための多数の上下部通孔及び前面開口を有するフィルタ取付け部と；前記フィルタ取付け部に引き出し式で着脱自在に取り付けられるフィルタ組立体とを含む。
【００１７】
前記フィルタ組立体は、前記フィルタ取付け部の大きさ及び構造に対応するプロファイルを有するフィルタケース体と；前記フィルタケース体に収められた微細フィルタとを含む。
【００１８】
前記微細フィルタはスポンジからなってもよく、また、前記フィルタケース体の前記前面開口の縁部と当接する部位にはシールのためのパッキング部材が設けられてもよく、前記フィルタケース体の前面には、その取り扱いのための取っ手が形成され得る。
【００１９】
また、前記外部グリル及び内部グリルは、それぞれ円筒状グリルボディ及び前記グリルボディの外周面に前記連通ホールと連通するように形成された多数の流路を有してなり、前記内部グリルの下端部にはゴミ遮蔽部材が設けられ得る。
【００２０】
前記流路は、前記グリルボディの外周面に一定間隔をおいて所定角度で傾斜して配された多数の流路部材により形成され得る。
【００２１】
前記ゴミ遮蔽部材は、前記グリルボディの下端の円周から所定角度で下に向けて拡径する円錐部及びこの円錐部から直下方に所定長さで延びる円筒部を備え、前記グリルボディと一体に形成されることが好ましい。
【００２２】
前記ゴミ収集筒は、前記サイクロン本体と同径を有する外筒及び前記外部グリルと同径を有する内筒の二重構造を有することにより内部が第１のゴミ収集部及び第２のゴミ収集部とに画成され、前記内筒の下部には前記第１のゴミ収集部のゴミを前記第２のゴミ収集部に排出するための少なくとも一つのゴミ排出路が形成される。
【００２３】
本発明の他の目的を達成するための真空掃除機は、被掃除面に対し開放されたノズル及び前記ノズルに吸込み力を発生させるモーターが装着されるモーター駆動室を有する吸込みブラシと；前記吸込みブラシに回転自在に連結され、前記モーター駆動室に連結される吸気路及び排気路と集塵室を有する掃除機本体と；前記掃除機本体の集塵室に分離自在に装着され、前記吸込みブラシのノズルから吸い込まれる空気中に含まれたゴミを分離し収集するサイクロン集塵装置とを含み、前記サイクロン集塵装置が、前記吸気路及び排気路にそれぞれ連結される吸気口及び排気口を備え、前記吸気口から吸い込まれるゴミを含む吸込み空気に対して旋回気流を形成するサイクロン本体と；前記サイクロン本体内の旋回気流により空気から遠心分離されるゴミを収集すべく前記サイクロン本体に分離自在に取り付けられるゴミ収集筒と；前記サイクロン本体内部の前記排気口の前流に配設され、空気から分離された前記ゴミが前記排気口から逆流することを防止し、外部グリル及び内部グリルの二重構造を有する二重インペラグリル組立体と；前記サイクロン本体内部の前記二重インペラグリル組立体の後流に配設され、前記二重インペラグリル組立体によっても分離されない微細ゴミをフィルタリングし捕集する微細ゴミ捕集手段とを含んでなることを特徴とする。
【発明の効果】
【００２４】
以上で説明した本発明によると、ゴミ収集筒に収集されるゴミが大きいゴミと小さいゴミとに分けられて収集されるため、大きいゴミによるグリルの流路の詰まり現象や小さいゴミの上昇を抑えることができ、ゴミの分離収集を極めて効率良く行うことができる。
【００２５】
また、グリルの後流側に設けられた微細フィルタで空気中に含まれた微細ゴミをフィルタリングし捕集するため、微細埃が空気と共に外部に排出されるという逆流現象を防止することができ、掃除機の集塵効率及び掃除効率を高めることができる。
【００２６】
更に、本発明に係るサイクロン集塵装置は、空気が微細フィルタを上方から下方に通り抜けるように構成されているため、微細フィルタの上部側に微細ゴミが存在することで微細ゴミの除去が容易であるという効果も奏する。
【００２７】
即ち、本発明のサイクロン集塵装置によると、消費者の選好度の側面で非常に満足のいく掃除機が提供できるため、製品の競争力が高められる。
【発明を実施するための最良の形態】
【００２８】
以下に添付図面を参照しながら、本発明に係る真空掃除機用サイクロン集塵装置の好適な実施の形態について詳細に説明する。
【００２９】
図３乃至図６に示すように、本発明の一実施の形態に係る真空掃除機用サイクロン集塵装置１００は、サイクロン本体１１０、ゴミ収集筒１３０、二重インペラグリル組立体１５０及び微細ゴミ捕集手段１７０を含む。
【００３０】
サイクロン本体１１０は、旋回気流チャンバ部材１１１と圧力降下チャンバ部材１２１とに画成されるが、一体に形成してもよい。旋回気流チャンバ部材１１１は、図８に示すように、下部が開放された円筒状構造からなり、外周面の一側には吸気口１１２が形成され、上面の略中央部には連通ホール１１３が形成される。吸気口１１２は、前記外周面に対し接線方向に形成され、従って、吸気口１１２から吸い込まれる空気は、旋回気流チャンバ部材１１１内部で旋回気流を形成するようになる。また、旋回気流チャンバ部材１１１内部の連通ホール１１３の周りには、多数の内向き係止条１１４と外向き係止条１１５が一定間隔を隔てて形成される。係止条１１４、１１５は、二重インペラグリル組立体１５０を取り付けるためのものであって、後で詳述する。
【００３１】
圧力降下チャンバ部材１２１は、図７に示すように、下部が開放された円筒状構造からなり、外周面の一側には排気口１２２が形成される。また、圧力降下チャンバ部材１２１には、その内部空間を旋回気流チャンバ部材１１１の連通ホール１１３と連通する両側の第１の空間部Ｓ１と排気口１２２と連通する中央部の第２の空間部Ｓ２とに画成する流路形成部材１２３が形成される。ここで、空間Ｓ１及びＳ２は、吸気口１１２から吸い込まれた空気の排出を導く排気ガイド流路１２３ａを形成し、これにより空気は、図５及び図６に示す矢印のように、微細ゴミ捕集手段１７０を上方から下方に通って排気口１２２から排出されるところ、これについては後述する。
【００３２】
ゴミ収集筒１３０は、サイクロン本体１１０の下部、より具体的には旋回気流チャンバ部材１１１に着脱自在に取り付けられ、サイクロン本体１１０内部で前記旋回気流により空気から遠心分離されるゴミを収集する。ゴミ収集筒１３０は、本発明の特徴により図９に示すように、外筒１３１及び内筒１３２の二重構造を有し、これにより内部が第１のゴミ収集部Ｃ１と第２のゴミ収集部Ｃ２とに画成される。外筒１３１は、旋回気流チャンバ部材１１１の直径と同径で形成され、内筒１３２は、外筒１３１より小径を有する。好適な内筒１３２の直径は、後述する二重インペラグリル組立体１５０の外部グリル１５１のそれと同じである。また、内筒１３２の下部側には、第１のゴミ収集部Ｃ１のゴミを第２のゴミ収集部Ｃ２に排出するための一対のゴミ排出路１３３が向かい合って形成され、外筒１３１には、その取り扱いのための取っ手１３４が形成される。図面では、一対のゴミ排出路１３３を備えたゴミ収集筒１３０に対し図示しているが、ゴミ排出路１３３は、一つだけ形成することもでき、３つ乃至４つを一定間隔を隔てて形成することもできる。
【００３３】
二重インペラグリル組立体１５０は、サイクロン本体１１０の内部に排気口１２２の前流に位置するように、より具体的には、旋回気流チャンバ部材１１１の連通ホール１１３の周りに配設され、空気から分離されたゴミが排気口１２２から逆流することを防止する。
【００３４】
二重インペラグリル組立体１５０は、本発明の特徴により外部グリル１５１及び内部グリル１５６の二重構造を有する。外部グリル１５１は、上下部が開放された円筒状グリルボディ１５２の外周面に多数の流路１５３が形成された構造をなし、グリルボディ１５２の上端部に一定間隔を隔てて内設された多数の第１の係止突起１５４が旋回気流チャンバ部材１１１の連通ホール１１３の周りに形成された外向き係止条１１５に係止することで配される。また、内部グリル１５６は、上部だけが開放された円筒状グリルボディ１５７の外周面に多数の流路１５８が形成された構造をなし、グリルボディ１５７の上端部に一定間隔を隔てて外設された多数の第２の係止突起１５９が旋回気流チャンバ部材１１１の連通ホール１１３の周りに形成された内向き係止条１１４に係止することで配される。
【００３５】
更に、内部グリル１５６は、グリルボディ１５７の下端部に配されゴミ収集筒１３０から空気と共に上昇するゴミを跳ね返し、再び旋回気流に捲き込ませるゴミ遮蔽部材１６０を備える。ゴミ遮蔽部材１６０は、その形状が必ずしも限定されず、図５及び図６に示すように、グリルボディ１５７の下端から所定角度で下に向けて拡径する円錐部１６１とこの円錐部１６１から直下方に所定長さで延びる円筒部１６２を備える形状のものがゴミの跳ね返しの側面で効果的であるため好ましい。また、ゴミ遮蔽部材１６０は、内部グリル１５６と一体に形成されることが好ましい。
【００３６】
一方、外部及び内部グリル１５１、１５６の流路１５３、１５８は、グリルボディ１５２、１５７の外周面に一定間隔を隔てて所定角度で傾斜して配される多数の流路部材により形成されることが好ましいが、必ずしもこれに限定されず、流路１５３、１５８は、グリルボディ１５２、１５７の外周面に多数の微細通孔を直接穿孔することにより形成してもよい。前者の場合がゴミの逆流防止の側面で効果的であるため多用される。
【００３７】
微細ゴミ捕集手段１７０は、サイクロン本体１１０内部の二重インペラグリル組立体１５０の後流に位置するように、より具体的には、圧力降下チャンバ部材１２１の内部に配設され、二重インペラグリル組立体１５０により分離されない微細ゴミを再度フィルタリングし捕集する。これにより微細ゴミが空気と共に外部に排出されるという逆流現象が防止され、その結果、サイクロン集塵装置の集塵効率を高めることができる。
【００３８】
微細ゴミ捕集手段１７０は、フィルタ取付け部１７１とフィルタ組立体１７２を備える。フィルタ取付け部１７１は、圧力降下チャンバ部材１２１の流路形成部材１２３の上部に形成され、多数の上下部通孔１７１ａ、１７１ｂ及び前面開口１７１ｃを有する。フィルタ組立体１７２は、フィルタ取付け部１７１にその前面開口から引き出し式で着脱自在に取り付けられ、フィルタケース体１７３及び微細フィルタ１７４を備える。フィルタケース体１７３の前記前面開口と当接する部位には、シールのためのパッキング部材１７５が設けられ、フィルタケース体１７３の前面には、その取り扱いのための取っ手１７６が形成される。そして、微細フィルタ１７４は、スポンジまたは不織布等で構成され得る。
【００３９】
前記のような構成を有する本発明の一実施の形態に係る真空掃除機用サイクロン集塵装置１００は、図１０に示すように、サイクロン本体１１０の吸気口１１２及び排気口１２２がそれぞれ掃除機本体２００の吸気路２１０及び排気路２２０に連結されるように掃除機本体２００の集塵室２３０に装着される。
【００４０】
掃除が開始されると、モーター駆動室３１０のモーターの駆動に伴い吸込みブラシ３００のノズルに吸込み力が発生し、この吸込み力により被掃除面のゴミを含む空気が吸込みブラシ３００のノズル、吸気路２１０及び吸気口１１２を経由してサイクロン本体１１０の旋回気流チャンバ部材１１１の内部に吸い込まれる。前記のように吸気口１１２から旋回気流チャンバ部材１１１の内部に吸い込まれるゴミを含む空気は、先ず二重インペラグリル組立体１５０の外部グリル１５１を中心とする大きい半径の旋回気流を形成することにより比較的大きいゴミが遠心力により分離され、ゴミ収集筒１３０の第２のゴミ収集部Ｃ２に落ちて収集される。以降、１次にゴミが分離された空気は、継続して二重インペラグリル組立体１５０の内部グリル１５６を中心とする小さい半径の旋回気流を形成することにより２次にゴミが分離され、ゴミ収集筒１３０の第１のゴミ収集部Ｃ１に落ちて収集される。このように、本発明は、比較的に大きいゴミと比較的に小さいゴミとがそれぞれ分離されてゴミ収集筒１３０に収集、即ち、大きいゴミは第２のゴミ収集部Ｃ２に、そして比較的に小さいゴミは第１のゴミ収集部Ｃ１に収集されるため、大きいゴミがグリル組立体１５０の流路を詰まらせることがなく、また、小さいゴミが収集されている第１のゴミ収集部Ｃ１での旋回気流は、その強さが弱った状態であるため、ゴミの上昇が抑えられることでゴミの分離収集が効率良く行われ得る。
【００４１】
前記のようなプロセスによりゴミが分離された空気は、グリル組立体１５０の流路１５３、１５８及び連通ホール１１３から圧力降下チャンバ部材１２１の内部に流れ込まれる。ここで、前記のように圧力降下チャンバ部材１２１の内部に流れ込まれる空気中には流路１５３、１５８を通り抜けた微細ゴミが存在するところ、このような微細ゴミを含む空気は、図５及び図６に示すように、圧力降下チャンバ部材１２１の内部に形成された排気ガイド流路１２３ａに沿って矢印方向に流動し、微細ゴミ捕集手段１７０の上方から下方に流れながら最終的に排気口１２２から排出される。前記のような空気流動中に空気中の微細ゴミが微細ゴミ捕集手段１７０の微細フィルタ１７４でフィルタリングされ捕集されることで、浄化された空気のみが排気口１２２から排出される。ここで、微細ゴミ捕集手段１７０に捕集される微細ゴミは、本発明の排気ガイド流路１２３ａの構造により微細ゴミ捕集手段１７０の上部側に存在するようになる。その結果、捕集した微細ゴミを捨てる際、床に落とすことなく容易に捨てることができる。
【００４２】
一方、前記排気口１２２から排出される浄化された空気は、掃除機本体２００の排気路２２０及びモーター駆動室３１０を経由し、外部に最終的に排出される。
【００４３】
以上、添付図面を参照しながら本発明に係る真空掃除機用サイクロン集塵装置の好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【図面の簡単な説明】
【００４４】
【図１】一般の真空掃除機用サイクロン集塵装置及びこのサイクロン集塵装置の掃除機への取付け例を概略的に示す斜視図である。
【図２】図１に示す一般のサイクロン集塵装置のゴミ分離／収集プロセスを説明するための断面図である。
【図３】本発明の一実施の形態に係る真空掃除機用サイクロン集塵装置を示す分解斜視図である。
【図４】図３の組立状態を示す斜視図である。
【図５】図４のV−V線に沿う断面図である。
【図６】図４のVI−VI線に沿う断面図である。
【図７】本発明に係るサイクロン集塵装置のサイクロン本体を構成する圧力降下チャンバ部材及び旋回気流チャンバ部材をそれぞれ拡大して示す斜視図である。
【図８】本発明に係るサイクロン集塵装置のサイクロン本体を構成する圧力降下チャンバ部材及び旋回気流チャンバ部材をそれぞれ拡大して示す斜視図である。
【図９】本発明に係るサイクロン集塵装置を構成するゴミ収集筒を拡大して示す斜視図である。
【図１０】本発明の一実施の形態に係るサイクロン集塵装置の掃除機への取付け例を概略的に示す斜視図である。
【符号の説明】
【００４５】
１００    サイクロン集塵装置
１１０    サイクロン本体
１１１    旋回気流チャンバ部材
１１２    吸気口
１１３    連通ホール
１１４    内向き係止条
１１５    外向き係止条
１２１    圧力降下チャンバ部材
１２２    排気口
１２３    流路形成部材
１２３ａ  排気ガイド流路
１３０    ゴミ収集筒
１３１    外筒
１３２    内筒
１３３    ゴミ排出路
１５０    二重インペラグリル組立体
１５１    外部グリル
１５２、１５７  グリルボディ
１５３、１５８  流路
１５６    内部グリル
１６０    ゴミ遮蔽部材
１６１    円錐部
１６２    円筒部
１７０    微細ゴミ捕集手段
１７１    フィルタ取付け部
１７１ａ  上部通孔
１７１ｂ  下部通孔
１７１ｃ  前面開口
１７２    フィルタ組立体
１７３    フィルタケース体
１７４    微細フィルタ
１７５    パッキング部材
１７６    取っ手
２００    掃除機本体
２１０    吸気路
２２０    排気路
２３０    集塵室
３００    吸込みブラシ
３１０    モーター駆動室
【図１】
2004321777.tif 000003
【図２】
2004321777.tif 000004
【図３】
2004321777.tif 000005
【図４】
2004321777.tif 000006
【図５】
2004321777.tif 000007
【図６】
2004321777.tif 000008
【図７】
2004321777.tif 000009
【図８】
2004321777.tif 000010
【図９】
2004321777.tif 000011
【図１０】
2004321777.tif 000012